(57)【要約】【課題】全体に嵩張る収納容器において、保管時や運搬時のスペースを削減して物流効率の向上を図り得る新規構造の収納容器を提供する。【解決手段】ほぼ四辺形状の中空形枠における一対の対向枠壁に下窄まりのテーパ状に形成した裾部を垂設して、相互に積み重ね嵌合可能に構成すると共に中空形枠内の中空の両側に各々軸受け用横桟を橋渡し状に対設し、両軸受け用横桟上に各々対向する適宜数の軸受け窪みを凹設してなる構成を有する収納容器において、中空形枠を着脱可能な嵌合部を介設して分割、組み立て可能に、又は蝶番を介設して折り畳み可能に構成した。【選択図】図２
0003105049.tif 000002
【実用新案登録請求の範囲】
【請求項１】
ほぼ四辺形状の中空形枠における一対の対向枠壁に下窄まりのテーパ状に形成した裾部を垂設して、相互に積み重ね嵌合可能に構成すると共に中空形枠内の中空の両側に各々軸受け用横桟を橋渡し状に対設し、両軸受け用横桟上に各々対向する適宜数の軸受け窪みを凹設してなる構成を有する収納容器において、中空形枠を着脱可能な嵌合部を介設して分割、組み立て可能又は蝶番部を介設して折り畳み可能に構成したことを特徴とする収納容器。
【考案の詳細な説明】
【技術分野】
【０００１】
本考案は、収納容器に関するものである。
【背景技術】
【０００２】
本出願人は、両端に突出軸を有する精密なゴムローラ等を運搬する際に好適な収納容器を先に実用新案登録出願した。該収納容器は、収納製品に塵や埃を付着させるおそれを少なくするために収納製品の両端突出軸を軸支して橋渡し状に掛架収納させることができるように工夫したものであって、ほぼ四辺形状の中空形枠における一対の対向枠壁に下窄まりのテーパ状に形成した裾部を垂設して、相互に積み重ね嵌合可能に構成すると共に中空形枠内の中空の両側に各々軸受け用桟を橋渡し状に対設し、両軸受け用桟上に各々対向する適宜数の軸受け窪みを凹設し、その全体を射出成形により一体成形してなる構造を有するものである。
【特許文献１】実用新案登録第３０８０３５６号公報
【考案の開示】
【考案が解決しようとする課題】
【０００３】
かかる構造を有する一体成形タイプの収納容器にあっては、当該収納容器自体が嵩張ることから、保管時や運搬時には大きなスペースを要することなり、物流効率を阻害するという問題点があった。
【０００４】
本考案は、如上の問題点を解決すべく案出したものであって、収納容器を折り畳み又は分解組み立て可能に構成することによって、全体に嵩張る収納容器を折り畳んで又は分割して保管できるようになし、保管時や運搬時のスペースを削減して物流効率の向上を図り得る新規構造の収納容器を提供することを目的とするものである。
【課題を解決するための手段】
【０００５】
上記の目的を達成するための本考案の構成を説明すると、本考案は、ほぼ四辺形状の中空形枠における一対の対向枠壁に下窄まりのテーパ状に形成した裾部を垂設して、相互に積み重ね嵌合可能に構成すると共に中空形枠内の中空の両側に各々軸受け用横桟を橋渡し状に対設し、両軸受け用横桟上に各々対向する適宜数の軸受け窪みを凹設してなる構成を有する収納容器において、中空形枠を着脱可能な嵌合部を介設して分割、組み立て可能に、又は蝶番を介設して折り畳み可能に構成したことを最も主要な特徴とするものである。
【考案の効果】
【０００６】
本考案の収納容器は、その全体が嵩張るこの種の収納容器を分割して又は折り畳んで保管できるようになすことができ、保管時や運搬時に要するスペースを削減して物流効率の向上を実現できるという実用的な利点を有する。
【考案を実施するための最良の形態】
【０００７】
本考案は、この種の全体が嵩張る収納容器における保管時や運搬時のスペースを削減して物流効率の向上を図り得るという目的を、収納容器における中空形枠を着脱可能な嵌合部を介設して分割、組み立て可能に、又は蝶番を介設して折り畳み可能に構成することをもって、収納容器の基本的構造を損なうことのなく保持したまま実現した。
【実施例１】
【０００８】
図１は、本考案収納容器の第一実施例の斜視図、第２図は、中空形枠を分割、分離した状態の斜視図であって、１は中空形枠、２は枠壁、３は裾部、４は軸受け用横桟、５は軸受け窪み、６は握持部、７及び８は対応する係脱可能な係合部である。
【０００９】
中空形枠１は、平面視ほぼ四辺形状を有し、その四辺を構成する枠壁２ａ、２ｂ、２ｃ、２ｄにおける一対の対向する側辺側の枠壁２ａ、２ｃに下窄まりのテーパ状に形成した裾部３，３を垂設して、相互に上下に積み重ねた状態において、上段側に位置する収納容器の裾部３、３が下段側に位置する収納容器の中空形枠１内に嵌合して横ずれすることなく位置決めされるように構成されている。
【００１０】
中空形枠１内の中空の両側方には対向する軸受け用横桟４、４を上下辺側の枠壁２ｂ、２ｄの内側面に着脱可能に嵌合一体化している。両軸受け用横桟４，４には対向する適宜数の軸受け窪み５、５を連続的に凹設している。
【００１１】
また、該中空形枠１は、その枠壁２ａ，２ｃの中央部で係脱可能な係合部７、８を介設して二分割可能に組み立て嵌合一体化している。
【００１２】
上記の構成になる収納容器は、図１に示すようにその枠壁２ａ，２ｃの中央部で二分割可能な中空形枠１を組み立て嵌合一体化した状態にあっては、両軸受け用横桟４、４上の両軸受け窪み５、５に、ゴムローラー等の収納製品における両端面の突出軸を軸支させて、両両軸受け用横桟４、４の間に橋渡し状に掛架収納させることができ、その上で、更に各々の収納容器を相互に上下にガタなく積み重ねることができる。
【００１３】
また、収納容器は、図２に示すように中空形枠１を、その枠壁２ａ，２ｃの中央部で係合部７，８の係合を離脱させて二分割に分離することができる。二分割に分離することによって、その容積を半減させることができるので、保管時や運搬時に要するスペースを削減して物流効率の向上を実現できる。
【００１４】
更には、二分割に分離できる中空形枠１に対してその中間に嵌合可能な延長枠壁(図示省略)を別途に用意して介在させ組み立てを行うことできる。これにより、収納容器の長さ寸法の異なる各機種を簡便に対応、製作し得て、製作コストをも削減できる。
【実施例２】
【００１５】
図３は、本考案収納容器の第二実施例の積み重ね状態の斜視図、  図４は、蝶番部の部分斜視図であって、１〜８は  、前記第一実施例におけると同様である。また、９は蝶番部である。
【００１６】
本第二実施例において前記の第一実施例と同様に中空形枠１を、その枠壁２ａ，２ｃの中央部で係脱可能な係合部７、８を介設して二分割し、その上で蝶番部９を介設して折り畳み可能に嵌合一体化しており、本実施例では、二つ折りに折り畳み可能に構成していることを特徴とする。
【００１７】
収納容器１は、中空形枠１を、その枠壁２ａ，２ｃの各々の中央部で蝶番部９によって折り畳み可能に構成しており、中空形枠１を二つ折り状態に折り畳むことによって、その容積をほぼ半減させることができるので、保管時や運搬時に要するスペースを削減して物流効率の向上を実現できる
【実施例３】
【００１８】
図５は、本考案収納容器の第三実施例の平面図、第６図は、中空形枠を分割、分離した状態の平面図であって、１〜８は、前記の第一実施例及び第二実施例におけると同様である。また、１０、１１及び１２，１３は各々対応する係脱可能な係合部である。
【００１９】
中空形枠２における対向する一対の側辺枠壁２ａ、２ｃを上下辺枠壁２ｂ、２ｄに対して係脱可能な係合部１０、１１及び１２，１３を係脱可能に嵌合一体化している。
【００２０】
また、上下辺側の枠壁２ｂ、２ｄの内面には各々軸受け用横桟４、４を一体に又は着脱可能に嵌合一体化して設けている。各々軸受け用横桟４、４に軸受け窪み５、５を設けている。
【００２１】
本第三実施例においては、嵌合一体化して組み立てられている中空形枠１における対向する一対の側辺側の枠壁２ａ、２ｃ及び上下辺側の枠壁２ｂ、２ｄの各々を係脱可能な係合部１０、１１及び１２，１３を離脱させることによって、図６に示すように中空形枠２における対向する一対の側辺側の枠壁２ａ、２ｃ及び上下辺側の枠壁２ｂ、２ｄの各々四分割に分離させることができる。これによって、収納容器を細分化させることができるので、保管時や運搬時に要するスペースを大幅に削減して物流効率を大きく向上させることができる。
【００２２】
また更には、四分割に分離できる中空形枠１における側辺側の枠壁２ａ、２ｃを別途に用意する長さ寸法の異なる側辺側の枠壁２ａ、２ｃ取り替えることができる。これにより、収納容器の長さ寸法の異なる各機種に簡便に対応、製作し得て、製作コストをも削減できる。
【産業上の利用可能性】
【００２３】
ほぼ四辺形状の中空形枠における一対の対向枠壁に下窄まりのテーパ状に形成した裾部を垂設して、相互に積み重ね嵌合可能に構成すると共に中空形枠内の中空の両側に各々軸受け用横桟を橋渡し状に対設し、両軸受け用横桟上に各々対向する適宜数の軸受け窪みを凹設してなる構成を有するこの種の収納容器において、中空形枠を着脱可能な嵌合部を介設して分割、組み立て可能に、又は蝶番部を介設して折り畳み可能に構成して、保管時や運搬時に要するスペースを大幅に削減して物流効率を向上させる。
【図面の簡単な説明】
【００２４】
【図１】本考案収納容器の第一実施例の斜視図である。
【図２】同実施例の中空形枠を分割、分離した状態の斜視図である。
【図３】本考案収納容器の第二実施例の積み重ね状態の斜視図である。
【図４】同実施例の蝶番部の部分斜視図である。
【図５】本考案収納容器の第三実施例の平面図である。
【図６】同実施例の中空形枠を分割、分離した状態の平面図である。
【符号の説明】
【００２５】
１    中空形枠
２    枠壁
３    裾部
４    軸受け用横桟
５    軸受け窪み
６    握持部
７    係合部
８    係合部
９    蝶番部
１０    係合部
１１    係合部
１２    係合部
１３    係合部
【図１】
0003105049.tif 000003
【図２】
0003105049.tif 000004
【図３】
0003105049.tif 000005
【図４】
0003105049.tif 000006
【図５】
0003105049.tif 000007
【図６】
0003105049.tif 000008